(57)【要約】【課題】  製作が簡単であり、スイッチ基板の接点部に接触される回転子の端子板の端子部の接触を長期間保て、耐久性を延ばすことができる回転位置検出器を提供する。【解決手段】  円板状のスイッチ基板１の表面に円弧状の接点部２が設けられ、スイッチ基板の表面側に配置される回転子の裏面に、スイッチ基板の円弧状の接点部に接触される端子部４を有する端子板６が配置されていて、回転子の端子板の端子部がスイッチ基板の円弧状の接点部にそれぞれ接触され、回転子の端子板の端子部における接点部と接触する部分に凹溝４ａが形成され、接触部分に銀メッキ５が施され、凹溝に施された銀メッキの上面が凹溝の両側の表面４ｂ、４ｂの銀メッキの下端面と同一平面状に形成され、回転子の端子板における端子部の凹溝の両側の銀メッキがスイッチ基板の接点部に接触された状態で回転子が回転して磨耗したときに凹溝の銀メッキがスイッチ基板の接点部に接触する。【選択図】  図１
0003126688.tif 000002
【実用新案登録請求の範囲】
【請求項１】
円板状のスイッチ基板の表面に３列の円弧状の接点部が設けられ、このスイッチ基板の表面側に配置される回転子の裏面に、前記スイッチ基板の３列の円弧状の接点部に接触される３列の端子部を有する端子板が配置されていて、前記回転子の端子板の３列の端子部が前記スイッチ基板の３列の円弧状の接点部にそれぞれ接触される回転位置検出器において、前記回転子の端子板の３列の端子部における前記接点部と接触する部分に凹溝がそれぞれ形成され、この接触部分には銀メッキが施されていて、凹溝に施された銀メッキの上面が凹溝の両側の表面の銀メッキの下端面と同一平面状になるように形成され、前記回転子の端子板の端子部における凹溝の両側の銀メッキが前記スイッチ基板の接点部に接触された状態で前記回転子が回転されることにより磨耗したときに、前記凹溝の銀メッキが前記スイッチ基板の接点部に接触するように構成したことを特徴とする回転位置検出器。
【請求項２】
円板状のスイッチ基板の表面に複数列の円弧状の接点部が設けられ、このスイッチ基板の表面側に配置される回転子の裏面に、前記スイッチ基板の複数の円弧状の接点部に接触される複数列の端子部を有する端子板が配置されていて、前記回転子の端子板の複数列の端子部が前記スイッチ基板の複数列の円弧状の接点部にそれぞれ接触される回転位置検出器において、前記回転子の端子板の複数列の端子部における前記接点部と接触する部分に段差部分が設けられ、この接触部分には銀メッキが施されていて、前記段差部分の段部に施された銀メッキの上面が段差部分の頂部に施された銀メッキの下端面と同一平面状になるように形成され、前記回転子の端子板の端子部における頂部の銀メッキが前記スイッチ基板の接点部に接触された状態で前記回転子が回転されることにより磨耗したときに、前記段部の銀メッキが前記スイッチ基板の接点部に接触するように構成したことを特徴とする回転位置検出器。
【請求項３】
前記回転子の端子板の端子部の段差部分が凸形状に形成されており、凸状部の中央の頂部の銀メッキが前記スイッチ基板の接点部との回転接触により磨耗したときに、凸状部の両側の段部の銀メッキが前記スイッチ基板の接点部に接触するように構成された請求項２に記載の回転位置検出器。
【考案の詳細な説明】
【技術分野】
【０００１】
本考案は、円板状のスイッチ基板の表面に複数列の円弧状の接点部が設けられ、このスイッチ基板の表面側に配置される回転子の裏面に、前記スイッチ基板の複数の円弧状の接点部に接触される複数列の端子部を有する端子板が配置されていて、前記回転子の端子板の複数の端子部が前記スイッチ基板の複数列の円弧状の接点部にそれぞれ接触される回転位置検出器に関するものである。
【背景技術】
【０００２】
一般に、この種の回転位置検出器の回転子の複数の端子部には、銀メッキが施されていて、この銀メッキがスイッチ基板の接点部に接触されていた。従来は、長期の使用により、この銀メッキが磨耗して端子部のメッキが剥がれて接触不良となる場合があるという問題があった。
【０００３】
第１の従来技術を図３、図４（ａ）（ｂ）（ｃ）に示す。この従来技術の検出器は、図３、図４（ａ）（ｂ）（ｃ）に示すように、スイッチ基板１０７と弾接する接触ブラシ１０４の接点部は複数に分割され、初期状態では接点部の少なくとも１本はスイッチ基板１０７と摺動し、他の接点部はスイッチ基板１０７との間に隙間を有しているものである。そして、接点部の１本が磨耗すると他の接点部がスイッチ基板１０７に摺動するように構成されている。（例えば、特許文献１参照）。
【０００４】
ところが、これにおいては、接触ブラシ１０４の接点部とスイッチ基板１０７との間の隙間の微調整が難しく、加工が難しいという問題があった。
【０００５】
第２の従来技術を図５、図６、図７に示す。この従来技術のスイッチ基板は、図５、図６、図７に示すように、メッキの付いている銅配線回路と配線回路のない合成樹脂基板との組み合わせにより、電気的導電部２０３と電気的絶縁部２０２のスイッチパターンを形成した円板状のスイッチ基板２０１と、スイッチ基板２０１の回路を形成した表面に潤滑油２０５を塗布し、その回転するスイッチ基板２０１上を接触ブラシ２０６が多数接触する接点構造において、回転するスイッチ基板２０１の表面に塗布される潤滑油２０５をフッ素系樹脂と特殊合成油を速乾性の溶媒中に分散させた潤滑油を使用し形成したものである。（例えば、特許文献２参照）。
【０００６】
ところが、これにおいては、接触ブラシ２０６が磨耗すると接触不良が生じて対応できないという問題があった。
【特許文献１】特開平５−３２５６９７号公報
【特許文献２】特開平１１−６６９８７号公報
【考案の開示】
【考案が解決しようとする課題】
【０００７】
本考案は、上記従来の問題に鑑みてなされたものであって、製作が簡単であり、スイッチ基板の複数の接点部に接触される回転子の端子板の複数の端子部の接触を長期間保つことができ、耐久性を延ばすことができる回転位置検出器を提供することを目的としている。
【課題を解決するための手段】
【０００８】
本考案は、上記課題を解決するために提案されたものであって、請求項１に記載の考案は、円板状のスイッチ基板の表面に３列の円弧状の接点部が設けられ、このスイッチ基板の表面側に配置される回転子の裏面に、前記スイッチ基板の３列の円弧状の接点部に接触される３列の端子部を有する端子板が配置されていて、前記回転子の端子板の３列の端子部が前記スイッチ基板の３列の円弧状の接点部にそれぞれ接触される回転位置検出器において、前記回転子の端子板の３列の端子部における前記接点部と接触する部分に凹溝がそれぞれ形成され、この接触部分には銀メッキが施されていて、凹溝に施された銀メッキの上面が凹溝の両側の表面の銀メッキの下端面と同一平面状になるように形成され、前記回転子の端子板の端子部における凹溝の両側の銀メッキが前記スイッチ基板の接点部に接触された状態で前記回転子が回転されることにより磨耗したときに、前記凹溝の銀メッキが前記スイッチ基板の接点部に接触するように構成したことを特徴としている。
【０００９】
請求項２に記載の考案は、円板状のスイッチ基板の表面に複数列の円弧状の接点部が設けられ、このスイッチ基板の表面側に配置される回転子の裏面に、前記スイッチ基板の複数の円弧状の接点部に接触される複数列の端子部を有する端子板が配置されていて、前記回転子の端子板の複数列の端子部が前記スイッチ基板の複数列の円弧状の接点部にそれぞれ接触される回転位置検出器において、前記回転子の端子板の複数列の端子部における前記接点部と接触する部分に段差部分が設けられ、この接触部分には銀メッキが施されていて、前記段差部分の段部に施された銀メッキの上面が段差部分の頂部に施された銀メッキの下端面と同一平面状になるように形成され、前記回転子の端子板の端子部における頂部の銀メッキが前記スイッチ基板の接点部に接触された状態で前記回転子が回転されることにより磨耗したときに、前記段部の銀メッキが前記スイッチ基板の接点部に接触するように構成したことを特徴としている。
【００１０】
請求項３に記載の考案は、請求項２に記載の考案において、前記回転子の端子板の端子部の段差部分が凸形状に形成されており、凸状部の中央の頂部の銀メッキが前記スイッチ基板の接点部との回転接触により磨耗したときに、凸状部の両側の段部の銀メッキが前記スイッチ基板の接点部に接触するように構成されている。
【考案の効果】
【００１１】
請求項１に記載の考案によれば、回転子の端子板の端子部に設けた凹溝の両側の銀メッキの上面が凹溝の両側の表面の銀メッキの下端面が同一平面状になるように形成されているから、回転子の端子板の端子部における凹溝の両側の銀メッキがスイッチ基板の接点部に接触された状態で回転子が回転されることにより磨耗しても、凹溝の銀メッキがスイッチ基板の接点部に接触することにより、スイッチ基板の接点部に接触される回転子の端子板の端子部の接触を長期間保つことができ、耐久性を延ばすことができる。また、回転子の端子板の端子部に凹溝を形成するだけなので、製作を簡単化することができる。
【００１２】
請求項２に記載の考案によれば、回転子の端子板の端子部に段差部分を設け、この段差部の段部に施された銀メッキの上面が段差部分の頂部に施された銀メッキの下端面と同一平面状になるように形成されているから、回転子の端子板の端子部における頂部の銀メッキがスイッチ基板の接点部に接触された状態で回転子が回転されることで磨耗したときに、段部の銀メッキがスイッチ基板の接点部に接触することにより、スイッチ基板の接点部に接触される回転子の端子板の端子部の接触を長期間保つことができ、耐久性を延ばすことができる
請求項３に記載の考案によれば、回転子の端子板の端子部における段差部分が凸形状に形成されているから、回転子の端子板の端子部の製作を簡単化することができる。また、凸状部の中央の頂部の銀メッキがスイッチ基板の接点部との回転接触により磨耗したときに、凸状部の両側の段部の銀メッキがスイッチ基板の接点部に接触するから、スイッチ基板の接点部に接触される回転子の端子板の端子部の接触を長期間保つことができ、耐久性を延ばすことができる
【考案を実施するための最良の形態】
【００１３】
以下、本考案に係る回転位置検出器の実施の形態について、図を参照しつつ説明する。
【００１４】
図１は本考案の第１実施形態の回転位置検出器を示し、（ａ）はその回転子の裏面図、（ｂ）はそのスイッチ基板の接点部に回転子の端子板の端子部が接触した状態の平面図、（ｃ）はその回転子の端子板の端子部を示す部分拡大斜視図、（ｄ）はその回転子の端子板の端子部の凹溝の両側の銀メッキがスイッチ基板の接点部との接触によって磨耗した状態の端子部の部分拡大斜視図である。
【００１５】
この第１実施形態の回転位置検出は、例えば、ビデオデッキのモードスイッチとして用いられるものであって、図１（ａ）（ｂ）に示すように、スイッチ基板１の表面に３列の円弧状の接点部２が設けられ、このスイッチ基板１に被せる回転子３の裏面に、接点部２に接触される３列の端子部４を有する端子板６が設けられている。この回転子３の回転によってテープの位置を検出してモータの制御を行なうようにしている。端子部４には、図１（ｃ）に示すように、接点部２と接触される部分に凹溝４ａが設けられ、この接触部分には銀メッキ５が施されていて、凹溝４ａに施された銀メッキ５の上面が凹溝４ａの両側の表面４ｂの銀メッキ５、５の下端面と同一平面状になるように形成されている。図１（ｃ）の状態で端子部４の銀メッキ５がスイッチ基板１の接点部２に接触して回転子３が回転されると長期の使用によって、図１（ｄ）に示すように、凹溝４ａの両側の表面４ｂの銀メッキ５が磨耗するが、凹溝４ａの銀メッキ５がスイッチ基板１の接点部２に接触して更に使用可能となる。
【００１６】
従って、この第１実施形態によれば、回転子３の端子板６の端子部４に設けた凹溝４ａの両側の銀メッキ５、５の上面が凹溝４ａにおける両側の表面の銀メッキ５の下端面が同一平面状になるように形成されているから、回転子３の端子板６の端子部４における凹溝４ａの両側の銀メッキ５、５がスイッチ基板１の接点部２に接触された状態で回転子３が回転されることにより磨耗しても、凹溝４ａの銀メッキ５がスイッチ基板１の接点部２に接触することにより、スイッチ基板１の接点部２に接触される回転子３の端子板６の端子部４の接触を長期間保つことができ、耐久性を延ばすことができる。また、回転子３の端子板６の端子部４に凹溝４ａを形成するだけなので、製作を簡単化することができる。
【００１７】
図２は第２実施形態の回転位置検出器における回転子の端子板の端子部を示し、（ａ）はその部分拡大斜視図、（ｂ）はその回転子の端子板の端子部の凸状部の頂部の銀メッキがスイッチ基板の接点部に接触して磨耗した状態の部分拡大斜視図である。
【００１８】
この第２実施形態の回転位置検出器は、図２（ａ）に示すように、回転子３の端子板６の端子部４が凸形状に形成されており、凸状部４ｃにおける中央の頂部４ｄの銀メッキ５の下端面と段部４ｅ、４ｅの銀メッキ５、５が同一平面状になるように形成されている。端子部４の凸状部４ｃの中央の頂部４ｄの銀メッキ５が、スイッチ基板１の接点部２に接触されて回転子３が回転されると、図２（ｂ）に示すように、凸状部４ｃの中央の頂部４ｄの銀メッキ５が磨耗する。このように、銀メッキ５が磨耗しても、凸状部４ｃの両側の段部４ｅ、４ｅの銀メッキ５、５がスイッチ基板１の接点部２に接触して更に使用可能となる。
【００１９】
従って、この第２実施形態によれば、回転子３の端子板６の端子部４の中央部分が凸状部４ｃに形成されているから、回転子３の端子板６の端子部４の製作を簡単化することができる。また、凸状部４ｃの中央の頂部４ｄの銀メッキ５がスイッチ基板１の接点部２との回転接触により磨耗したときに、凸状部４ｃの両側の段部４ｅ、４ｅの銀メッキ５、５がスイッチ基板１の接点部２に接触するから、スイッチ基板１の接点部２に接触される回転子３の端子板６における端子部２の接触を長期間保つことができ、耐久性を延ばすことができる。
【００２０】
尚、上記実施形態では、回転子３の端子板６の端子部４に凹溝４ａや凸状部４ｃを形成したものについて説明したが、これに限らず、例えば、端子部４にＶ字形の切り込み等を形成してもよいことは勿論である。
【図面の簡単な説明】
【００２１】
【図１】本考案の第１実施形態の回転位置検出器を示し、（ａ）はその回転子の裏面図、（ｂ）はそのスイッチ基板の接点部に回転子の端子板の端子部が接触した状態の平面図、（ｃ）はその回転子の端子板の端子部を示す部分拡大斜視図、（ｄ）はその回転子の端子板の端子部の凹溝の両側の銀メッキがスイッチ基板の接点部との接触によって磨耗した状態の端子部の部分拡大斜視図である。
【図２】第２実施形態の回転位置検出器における回転子の端子板の端子部を示し、（ａ）はその部分拡大斜視図、（ｂ）はその回転子の端子板の端子部の凸状部の頂部の銀メッキがスイッチ基板の接点部に接触して磨耗した状態の部分拡大斜視図である。
【図３】従来の検出器のスイッチ基板に接触ブラシが接触した状態の平面図である。
【図４】従来の検出のスイッチ基板の導通部に接触ブラシが接触した状態を示し、（ａ）は初期状態の部分断面図、（ｂ）は次の段階の状態を示す部分断面図、（ｃ）は更に次の状態を示す部分断面図である。
【図５】従来のスイッチ基板に接触ブラシが接触している状態を示す平面図である。
【図６】従来のスイッチ基板の部分断面図である。
【図７】従来のスイッチ基板の電気的導電部辺に接触ブラシが接触した状態の部分断面図である。
【符号の説明】
【００２２】
１      スイッチ基板
２      円弧状の接点部
３      回転子
４      端子部
４ａ    凹溝
４ｂ    両側の表面
４ｃ    凸状部
４ｄ    中央の頂部
４ｅ    段部
５      銀メッキ
６      端子板
【図１】
0003126688.tif 000003
【図２】
0003126688.tif 000004
【図３】
0003126688.tif 000005
【図４】
0003126688.tif 000006
【図５】
0003126688.tif 000007
【図６】
0003126688.tif 000008
【図７】
0003126688.tif 000009